(57)【要約】【課題】熟練の度合いに関わらず、簡単な動作で充分な押圧力を一定の角度で安定的に加えることができる骨盤矯正装置を提供する。【解決手段】脚２上に設置され人体Ｍを横たえる寝台１と、寝台１上に、人体Ｍの腰部が介在可能な間隔をおいて立設された一対の支柱４と、これら支柱４に、一端部が人体Ｍの腰部に常に一定角度をもって対向するようにそれぞれ支持された押棒７と、この押棒７を人体Ｍの腰部方向に一定角度を保持させつつ付勢する付勢手段９とを備えてなる。【選択図】　　　　図１
2004033665.tif 000002
【特許請求の範囲】
【請求項１】
脚部上に設置され人体が横になる寝台と、
前記寝台上に、前記人体の腰部が介在可能な間隔をおいて立設された一対の支柱と、
前記各々の支柱に、一端部が前記人体の腰部に常に一定角度をもって対向するようにそれぞれ支持された押棒と、
前記押棒を前記人体の腰部に向けて前記一定角度を保持させつつ付勢する付勢手段と、
を具備したことを特徴とする骨盤矯正装置。
【請求項２】
前記支柱は中空状に形成され、前記支柱の中空内に、その上下方向に移動可能で、かつ固定手段によって固定可能にブロックが装填されるとともに、前記支柱の側壁に、その上下方向に延びるスリットが形成され、前記ブロックは、その内部に、前記押棒が前記一定角度に傾斜して軸方向に摺動移動する貫通孔を有することを特徴とする請求項１に記載の骨盤矯正装置。
【請求項３】
前記固定手段は、前記スリットの開口端の外面に配置されたプレートが、前記開口端を前記ブロックとで挟み込むようにネジによって前記ブロックに締結されてなることを特徴とする請求項２に記載の骨盤矯正装置。
【請求項４】
前記押棒の一端部には、前記人体の腰部に当接する押圧部材が、前記一端部を中心にして首振り可能に設けられたことを特徴とする請求項３に記載の骨盤矯正装置。
【発明の詳細な説明】
【０００１】
【発明の属する技術分野】
本発明は、ぎっくり腰などの予防や治療を行うための骨盤矯正装置に関するものである。
【０００２】
【従来の技術】
二足歩行する人体の腰部には、上半身の荷重の全てがかかる。このため、脊柱の下端部にある仙骨と寛骨の後上部を占める腸骨をつなぐ耳状面が緩んでいると、骨盤に対して過度の負荷を与える姿勢、たとえば腰をひねったり、中腰で重い物を持ったりしたときなどに、骨盤に歪みを生じ、急に劇痛を起こすことがある。
【０００３】
そこで、従来より、仙骨および腸骨を、人の指によって略直角方向より締め付け、耳状面の緩みを解消させ、仙骨および腸骨を堅固に結合させるように、骨盤を矯正している。
【０００４】
【発明が解決しようとする課題】
しかしながら、前記骨盤の矯正は、人の指の力によって腰部を押圧し骨盤を矯正しているので、充分な押圧力を一定の角度で安定的に加えることが難しく、熟練者であってもそれは困難である。また、これは、スポーツ選手のように頑強な筋肉を有する人や大柄な人に対しては、特に困難であるという事情がある。
【０００５】
本発明は、前記事情に鑑みてなされたものであり、その目的は、熟練の度合いに関わらず、簡単な動作で充分な押圧力を一定の角度で安定的に加えることができる骨盤矯正装置を提供することにある。
【０００６】
【課題を解決するための手段】
前記目的を達成するため、請求項１に係る骨盤矯正装置は、脚部上に設置され人体が横になる寝台と、前記寝台上に、前記人体の腰部が介在可能な間隔をおいて立設された一対の支柱と、前記各々の支柱に、一端部が前記人体の腰部に常に一定角度をもって対向するようにそれぞれ支持された押棒と、前記押棒を前記人体の腰部に向けて前記一定角度を保持させつつ付勢する付勢手段とを具備したことを特徴としている。
【０００７】
前記骨盤矯正装置の構成によれば、人体の腰部を常に一定の角度をもって腰部に対向する押棒によって押圧するようにしたので、押圧力が腰部の所望部位に所望角度で安定的にしかも簡単に加えられる。
【０００８】
また、押圧力は、付勢手段の付勢力を利用しているので、より簡単にかつ安定して得られ、その調節が、付勢手段の付勢力を調整することで容易にできるので、常に充分な押圧力で腰部を押圧することができる。
【０００９】
請求項２に係る骨盤矯正装置は、前記支柱が中空状に形成され、前記支柱の中空内に、その上下方向に移動可能で、かつ固定手段によって固定可能にブロックが装填されるとともに、前記支柱の側壁に、その上下方向に延びるスリットが形成され、前記ブロックは、その内部に、前記押棒が前記一定角度に傾斜して軸方向に摺動移動する貫通孔を有している。
【００１０】
従って、押棒の高さ調整が、上記のような簡単な構造で可能となり、様々な体格の人にも柔軟に対応できるようになる。また、押棒の設置角度は、ブロックの貫通孔の傾斜角度に依存しており、その貫通孔内を押棒が移動することで、常に安定した角度での腰部の押圧が確実に達成される。
【００１１】
請求項３に係る骨盤矯正装置では、前記固定手段は、前記スリットの開口端の外面に配置されたプレートが、前記開口端を前記ブロックとで挟み込むようにネジによって前記ブロックに締結されてなるものである。
【００１２】
これにより、押棒の高さ調整を支柱の所望高さ位置でネジの締め付けと開放という簡単な動作のみによって行うことができるようになっている。
【００１３】
請求項４に係る骨盤矯正装置は、前記押棒の一端部には、前記人体の腰部に当接する押圧部材が、前記一端部を中心にして首振り可能に設けられている。
【００１４】
これによって、押圧部材が人体の腰部の表面形状に追従して当接するので、腰部の押圧部位が確実に押圧される。
【００１５】
【発明の実施の形態】
以下、本発明の実施の形態を図面に基づいて詳細に説明する。図１、２は、本発明に係る骨盤矯正装置の一実施例を例示したものであり、図１は、骨盤矯正装置の斜視図を示し、図２は、図１の後面図を示している。
【００１６】
図１、２に示す骨盤矯正装置は、人体Ｍが横になる矩形状の寝台１を有している。前記寝台１は、その下面角部に設けられた４つの脚２によって支持され、これら脚２は、隣接する脚２間に架設された横桟３によって補強されている。
【００１７】
前記寝台１上の幅方向には、中空四角柱状に形成された一対の支柱４が、人体Ｍの腰部を介在できる程度の間隔をおいて立設されている。そして、これら支柱４間には、上桟５が水平に架け渡され、この上桟５の両端は、ボルト１３によって一対の支柱４の上端にそれぞれ固定されている。
【００１８】
前記支柱４の途中位置には、一端部を人体Ｍの腰部に向けた押棒７が、斜め上方より傾斜して支持され、この押棒７の一端部には、人体Ｍの腰部に対して押圧力を加圧する押圧部材８が設けられ、他端部には把持部６が装着されている。前記押圧部材８の人体Ｍの腰部との接触面は、球面状に形成されており、人体Ｍの腰部を押圧したときの圧迫感を和らげるようにしている。
【００１９】
前記一対の押棒７間には、付勢手段として、ベルト状ゴム９が架け渡され、このベルト状ゴム９の両端部は、一対の押棒７のそれぞれ他端部に取付けられている。すなわち、人体Ｍが横たわったときに、各々の押棒７が、人体Ｍの腰部を押圧できるようにベルト状ゴム９を引き伸ばした状態で取り付けている。押棒７の長さも人体Ｍの大小を問わず確実に押すことのできる長さに設定されている。なお、前記付勢手段は、ベルト状ゴム９に限られず、適切に押棒７に付勢力を付加することのできるものであれば良く、バネなどを取り付けることも可能である。
【００２０】
前記骨盤矯正装置の要部をさらに具体的に説明すると、図３、４に示すように、支柱４の対向側壁４ａ、４ｂには、上下方向に延びるスリット４ｃ、４ｄがそれぞれ形成され、支柱４内には、人体Ｍの腰部に向けて斜めに貫通する貫通孔１０ａを有するアルミニウム製のブロック１０が上下方向に移動可能に装填されている。
【００２１】
そして、スリット４ｃ、４ｄおよび貫通孔１０ａ内には、押棒７が、その軸方向に摺動移動可能に挿通され、すなわち、押棒７は角度θだけ傾斜して人体Ｍの腰部に向けられた状態となっている。なお、この場合、貫通孔１０ａは、押棒７の軸方向の移動を案内するものであるので、その内径は、押棒７の摺動を許容し、がたつかない程度の大きさに設定されるのが好適である。また、角度θは、人体Ｍの腰部を略直角方向に押圧可能な角度に設定されている。
【００２２】
前記スリット４ｃの外面には、該スリット開口を幅方向に跨ぐようにプレート１２が配置され、このプレート１２が、スリット４ｃを介してブロック１０にネジ１１によって締結され、ブロック１０が支柱４に固定されている。即ち、支柱４のスリット４ｃの開口端が、プレート１２とブロック１０とで挟み付けられることで、押棒７が所望の高さ位置で位置決め固定されるようになっている。
【００２３】
また、図５に示すように、押圧部材８の後部には、球状部８ａが形成され、この球状部８ａが、押棒７の一端部に形成された球面凹状の受け部７ａに転動可能に嵌合され、前記押圧部材８は、押棒７の一端部を中心として首振り動作することで、その向きが自由に変更されるようになっている。
【００２４】
これにより、押圧部材８は、押棒７の角度に関わらず、各人体Ｍの腰部の外表面の形状に的確に追従して接触することになり、従って腰部の押圧部位を常に良好に押圧することができる。
【００２５】
骨盤矯正装置は、以上のように構成されているので、人体Ｍの腰部の矯正を行う場合は、まず、把持部６を手で掴んで押棒７をベルト状ゴム９の弾発力に抗して外側に引っ張る。この状態で、人体Ｍが、その腰部を支柱４間に位置させて通常は俯せで横になる。しかる後、押棒７の押圧部材８が、人体Ｍの腰部の左右の所望の押圧部位に当たるように押棒７の高さ位置を調節した後、その高さ位置をネジ１１によって固定する。
【００２６】
次に、把持部６より手を離すと、押棒７は貫通孔１０ａ内をベルト状ゴム９の弾発力により摺動し、押圧部材８が、腰部の左右押圧部位に当接され、さらに腰部が左右より上述した角度θで押圧される。この押圧により、腸骨から仙骨に適切な角度による押圧力が加えられる。これによって、仙骨および腸骨間の耳状面の緩みが的確に解消され、骨盤が矯正されることになる。
【００２７】
このように、本実施の形態によれば、人間の手のみによる押圧に比べ、押棒７の貫通孔１０ａ内の習動移動による押圧、すなわち、方向の安定した的確かつ十分な押圧力による押し動作が得られている。
【００２８】
本実施の形態では、上述のように押棒７は、貫通孔１０ａに沿って移動するので、その傾斜角θは、貫通孔１０ａの傾斜角に依存している。ただし、前記傾斜角θは、人体Ｍの体格の大小や体型に適合させ、さらには人体Ｍが寝台１上で俯せあるいは仰向けで横になるかに応じて、人体Ｍの腰部を略直角方向より押圧できるように種々変更する必要が生じる。この場合、種々の傾斜角θの貫通孔を有する種々のブロックを準備しておくことによって、ブロック１０の交換により、容易に角度調整が可能である。また、人体Ｍが仰向け状態の場合、本実施の形態のように俯せ状態で使用した支柱４を上下反対にして使用することもできる。
【００２９】
次に、押圧力についても人体Ｍによって変更する必要が生じる。すなわち、運動による筋肉量の差や男女差により、押圧力の調整が必要である。本実施の形態では、ベルト状ゴム９の取付本数を変更することやベルト状ゴム９の断面積の異なるものへの変更により、調節することができる。
【００３０】
また、付勢手段としてバネを用いる場合も同様に本数変更や弾発力の異なるバネへの変更により調整することが可能である。さらに、付勢手段として、減圧弁付きの油圧シリンダを利用することもできる。
【００３１】
また、押棒７の高さ位置は、支柱４のスリット４ｃの部分の外側面にプレート１２を設置し、これとブロック１０とをネジ１１によって固定する構成としたので、ネジ１１のひねり動作という簡単な動作で高さ調節を容易に行うことができる。
【００３２】
【発明の効果】
以上の説明したように、本発明の骨盤矯正装置によれば、腰部の所望部位に、一定の角度で安定的にかつ熟練を要することなく、充分な押圧力を簡単に加えることができ、腰部の矯正を容易に行うことができる。
【図面の簡単な説明】
【図１】本発明の一実施例である骨盤矯正装置の斜視図である。
【図２】図１の後面図である。
【図３】図１に示す支柱の正面図である。
【図４】図１に示す支柱の縦断面図である。
【図５】図１に示す押棒および押圧部材の断面図である。
【符号の説明】
１　寝台
４　支柱
４ｃ、４ｄ　スリット
７　押棒
７ａ　受け部
８　押圧部材
８ａ　球状部
９　ベルト状ゴム
１０　ブロック
１０ａ　貫通孔
１１　ネジ
１２　プレート
Ｍ　人体
【図１】
2004033665.tif 000003
【図２】
2004033665.tif 000004
【図３】
2004033665.tif 000005
【図４】
2004033665.tif 000006
【図５】
2004033665.tif 000007